(57)【要約】【課題】集塵機と電動工具とをまとめて保管及び運搬できると共に、集塵機に新たな機能も付与することができる集塵機用アダプタを提供する。【解決手段】集塵機用アダプタ１は、集塵機上に固定可能で、上面に電動工具の収納ケースを搭載可能な本体ケース２を備え、本体ケース２に、バッテリー装着部４及び電源コード１１と、外部機器が電気的に接続可能な出力ポート１５及びＵＳＢポート１６とを設けて、バッテリー装着部４又は電源コード１１を介して得られる電力を出力ポート１５及びＵＳＢポート１６を介して外部機器へ供給可能としている。【選択図】図１
2017001131.tif 000002
【特許請求の範囲】
【請求項１】
集塵機上に固定可能で、上面に電動工具の収納ケースを搭載可能な本体ケースを備え、前記本体ケースに、電源入力手段と、外部機器が電気的に接続可能な接続部とを設けて、前記電源入力手段を介して得られる電力を前記接続部を介して前記外部機器へ供給可能としてなる集塵機用アダプタ。
【請求項２】
前記本体ケースに、前記電源入力手段を介して得られる電力により点灯するライトを設けたことを特徴とする請求項１に記載の集塵機用アダプタ。
【請求項３】
前記本体ケースに、前記電源入力手段を介して得られる電力により動作するラジオを設けたことを特徴とする請求項１又は２に記載の集塵機用アダプタ。
【請求項４】
前記本体ケースに、前記外部機器を保持するためのホルダを設けたことを特徴とする請求項１乃至３の何れかに記載の集塵機用アダプタ。
【請求項５】
前記接続部は、ＵＳＢポートを含んでなることを特徴とする請求項１乃至４の何れかに記載の集塵機用アダプタ。
【請求項６】
前記接続部は、充電式電動工具に装着されるバッテリーパックと同形態のダミーバッテリのコードを接続可能な出力ポートを含み、前記出力ポートに接続した前記ダミーバッテリを介して前記充電式電動工具に電力を供給可能としたことを特徴とする請求項１乃至５の何れかに記載の集塵機用アダプタ。
【請求項７】
前記本体ケースに、電動工具用アクセサリの収納部と、その収納部を開閉可能な蓋とを設けたことを特徴とする請求項１乃至６の何れかに記載の集塵機用アダプタ。
【請求項８】
前記本体ケースの側面にハンドルを設けたことを特徴とする請求項１乃至７の何れかに記載の集塵機用アダプタ。
【請求項９】
前記本体ケースの裏面に指掛け用の溝を設けたことを特徴とする請求項１乃至７の何れかに記載の集塵機用アダプタ。
【請求項１０】
前記本体ケースに、前記集塵機ごと搬送するためのバー部材を設けたことを特徴とする請求項１乃至９の何れかに記載の集塵機用アダプタ。
【請求項１１】
集塵機上に固定可能で、上面に電動工具の収納ケースを搭載可能な本体ケースを備え、前記本体ケースに、外部機器を保持するためのホルダを設けたことを特徴とする集塵機用アダプタ。
【請求項１２】
吸込口を有するタンクの上部に、モータ駆動で回転する吸込ファンを内蔵した本体を載置してなる集塵機であって、
請求項１乃至１１の何れかに記載の集塵機用アダプタを固定したことを特徴とする集塵機。
【請求項１３】
吸込口を有するタンクの上部に、モータ駆動で回転する吸込ファンを内蔵した本体を載置してなる集塵機であって、
照明用のライトを備えたことを特徴とする集塵機。
【請求項１４】
吸込口を有するタンクの上部に、モータ駆動で回転する吸込ファンを内蔵した本体を載置してなる集塵機であって、
接続した外部機器に電力を供給可能な接続部を備えたことを特徴とする集塵機。
【請求項１５】
吸込口を有するタンクの上部に、モータ駆動で回転する吸込ファンを内蔵した本体を載置してなる集塵機であって、
充電式電動工具に装着されるバッテリーパックと同形態のダミーバッテリのコードを接続可能な接続部を有し、前記接続部に接続した前記ダミーバッテリを介して前記充電式電動工具に電力を供給可能としたことを特徴とする集塵機。
【発明の詳細な説明】
【技術分野】
【０００１】
本発明は、電動工具を収容したケースを搭載するために集塵機に装着される集塵機用アダプタと、集塵機とに関する。
【背景技術】
【０００２】
集塵機は、タンク上に、モータ及び吸込ファンを備えた本体を載置して、タンクに設けた吸込口から外気を吸引可能となっている。この集塵機は、吸込口に接続したホースを電動工具に繋いだり、作業箇所の近傍に配置したりすることで、電動工具の使用によって発生する粉塵の吸引に使用することができる（例えば特許文献１参照）。
【先行技術文献】
【特許文献】
【０００３】
【特許文献１】特開２０１４−２００９０５号公報
【発明の概要】
【発明が解決しようとする課題】
【０００４】
このように集塵機は電動工具と共に使用される頻度が高いことから、使用しない場合は両者をまとめて保管するのが望ましいが、電動工具は専ら別個の収納ケースに収納して保管されるため、使用する際に探す必要が生じたり、運搬が別々となって面倒となったりしてしまう。そこで、集塵機上に、電動工具を収納ケースごと搭載できるアダプタを取り付けて、使用頻度が高い集塵機と電動工具とをまとめて保管及び運搬できるようにすることが考えられる。しかし、このアダプタは収納ケースの載置用にとどまっているため、収納ケースを載置しない場合も使用できる新たな機能を付与することが望ましい。
【０００５】
そこで、本発明は、集塵機と電動工具とをまとめて保管及び運搬できると共に、集塵機に新たな機能も付与することができる集塵機用アダプタ及び集塵機を提供することを目的としたものである。
【課題を解決するための手段】
【０００６】
上記目的を達成するために、請求項１に記載の発明は、集塵機用アダプタであって、集塵機上に固定可能で、上面に電動工具の収納ケースを搭載可能な本体ケースを備え、本体ケースに、電源入力手段と、外部機器が電気的に接続可能な接続部とを設けて、電源入力手段を介して得られる電力を接続部を介して外部機器へ供給可能としたことを特徴とするものである。
請求項２に記載の発明は、請求項１の構成において、本体ケースに、電源入力手段を介して得られる電力により点灯するライトを設けたことを特徴とするものである。
請求項３に記載の発明は、請求項１又は２の構成において、本体ケースに、電源入力手段を介して得られる電力により動作するラジオを設けたことを特徴とするものである。
請求項４に記載の発明は、請求項１乃至３の何れかの構成において、本体ケースに、外部機器を保持するためのホルダを設けたことを特徴とするものである。
請求項５に記載の発明は、請求項１乃至４の何れかの構成において、接続部は、ＵＳＢポートを含んでなることを特徴とするものである。
請求項６に記載の発明は、請求項１乃至５の何れかの構成において、接続部は、充電式電動工具に装着されるバッテリーパックと同形態のダミーバッテリのコードを接続可能な出力ポートを含み、出力ポートに接続したダミーバッテリを介して充電式電動工具に電力を供給可能としたことを特徴とするものである。
請求項７に記載の発明は、請求項１乃至６の何れかの構成において、本体ケースに、電動工具用アクセサリの収納部と、その収納部を開閉可能な蓋とを設けたことを特徴とするものである。
請求項８に記載の発明は、請求項１乃至７の何れかの構成において、本体ケースの側面にハンドルを設けたことを特徴とするものである。
請求項９に記載の発明は、請求項１乃至７の何れかの構成において、本体ケースの裏面に指掛け用の溝を設けたことを特徴とするものである。
請求項１０に記載の発明は、請求項１乃至９の何れかの構成において、本体ケースに、集塵機ごと搬送するためのバー部材を設けたことを特徴とするものである。
上記目的を達成するために、請求項１１に記載の発明は、集塵機用アダプタであって、集塵機上に固定可能で、上面に電動工具の収納ケースを搭載可能な本体ケースを備え、本体ケースに、外部機器を保持するためのホルダを設けたことを特徴とするものである。
上記目的を達成するために、請求項１２に記載の発明は、吸込口を有するタンクの上部に、モータ駆動で回転する吸込ファンを内蔵した本体を載置してなる集塵機であって、請求項１乃至１１の何れかに記載の集塵機用アダプタを固定したことを特徴とするものである。
請求項１３に記載の発明は、吸込口を有するタンクの上部に、モータ駆動で回転する吸込ファンを内蔵した本体を載置してなる集塵機であって、照明用のライトを備えたことを特徴とするものである。
請求項１４に記載の発明は、吸込口を有するタンクの上部に、モータ駆動で回転する吸込ファンを内蔵した本体を載置してなる集塵機であって、接続した外部機器に電力を供給可能な接続部を備えたことを特徴とするものである。
請求項１５に記載の発明は、吸込口を有するタンクの上部に、モータ駆動で回転する吸込ファンを内蔵した本体を載置してなる集塵機であって、充電式電動工具に装着されるバッテリーパックと同形態のダミーバッテリのコードを接続可能な接続部を有し、接続部に接続したダミーバッテリを介して充電式電動工具に電力を供給可能としたことを特徴とするものである。
【発明の効果】
【０００７】
本発明によれば、集塵機と電動工具とをまとめて保管及び運搬できると共に、集塵機に新たな機能も付与することができる。
【図面の簡単な説明】
【０００８】
【図１】形態１の集塵機用アダプタの斜視図である。
【図２】集塵機の斜視図で、（Ａ）はプレートの取付前、（Ｂ）はプレート取付状態をそれぞれ示す。
【図３】集塵機の斜視図である（ハンドル収納位置）。
【図４】形態１の集塵機用アダプタを取り付けた集塵機の斜視図である。
【図５】形態２の集塵機用アダプタの斜視図である。
【図６】形態２の集塵機用アダプタの前隅部分の拡大図である。
【図７】形態２の集塵機用アダプタの下方からの斜視図である。
【図８】形態２の集塵機用アダプタを取り付けた集塵機の斜視図である（蓋は開いた状態）。
【図９】形態２の集塵機用アダプタを取り付けた集塵機の斜視図である（蓋は閉じた状態）
【図１０】形態３の集塵機用アダプタの側方からの斜視図である。
【図１１】形態３の集塵機用アダプタの本体ケースの説明図で、（Ａ）が側方からの斜視図、（Ｂ）がＡ部拡大図である。
【図１２】形態３の集塵機用アダプタを取り付けた集塵機の斜視図である（プッシュバーは前向き位置）。
【図１３】形態３の集塵機用アダプタを取り付けた集塵機の斜視図である（プッシュバーは下向き位置）。
【発明を実施するための形態】
【０００９】
以下、本発明の実施の形態を図面に基づいて説明する。
［形態１］
図１は、集塵機用アダプタ（以下単に「アダプタ」という。）の一例を示す斜視図である。このアダプタ１は、平面視が横長四角形状となる扁平な本体ケース２の左右両側面に、ハンドル３，３を突設してなり、本体ケース２の後面には、電源となる２つのバッテリーパック５，５を左右に並べて装着可能な電源入力手段としてのバッテリー装着部４，４が設けられている。このバッテリーパック５は、複数のセルを収容したケース６の上面に、左右一対のスライドレール８，８の内側に充放電端子を備えてなる装着部７を形成した汎用型のもので、充電式電動工具のハンドル等にスライド装着されて電源として使用される。よって、バッテリー装着部４は、充電式電動工具のバッテリー装着部と同様に、スライドレール８，８が嵌合する左右一対のガイドレール９，９を上下方向に備えてその間に、結合状態でバッテリーパック８の充放電端子と電気的に接続される端子台１０を備えている。従って、バッテリーパック５を、装着部７を前側にした縦向き姿勢で、ガイドレール９，９の間にスライドレール８，８を上方から嵌合させると、バッテリーパック５の結合と共に電気的接続が可能となる。
【００１０】
また、本体ケース２の後面には、先端にプラグ１２を備えた電源入力手段としての電源コード１１が接続されて、各端子台１０と電源コード１１とは、本体ケース２の内部に設けた基板１３にそれぞれ電気的に接続されて、電源コード１１からの交流電源とバッテリーパック５の直流電源との何れも利用できるようになっている。基板１３の前部には、出力部１４が設けられて、本体ケース２の左側面に、接続部としてのＤＣ工具用の出力ポート１５を、前面に、接続部としての４つのＵＳＢポート１６，１６・・をそれぞれ露出させている。
このうち出力ポート１５には、ダミーバッテリ１７が接続可能となっている。このダミーバッテリ１７は、バッテリーパック５と同じ形態を有して上面の装着部１８に形成したスライドレール１９，１９の間に充放電端子を備えたもので、充放電端子と電気的に接続されるコード２０の端部に設けたプラグ２１を出力ポート１５に差込接続することで、ダミーバッテリ１７を接続した充電式電動工具に電力を供給可能となっている。
【００１１】
さらに、本体ケース２内の前部で左右方向の中央には、基板１３に設けたラジオ受信部と接続されるスピーカ２２が設けられて、ラジオ放送を聴取可能としている。スピーカ２２の左右には、ＬＥＤ等のライト２３，２３が設けられて、基板１３から電源を得て前方を照射可能としている。なお、ラジオのスイッチ及びチューニング用のダイヤル、ライト２３のＯＮ／ＯＦＦスイッチは本体ケース２の後面に設けられている（図示略）。
そして、本体ケース２の右側面でハンドル３の前方には、平面視Ｃ字状のホルダ２４が設けられている。このホルダ２４は、例えば携帯用ライト２５等の外部機器の保持に使用される。この携帯用ライト２５は、グリップ２６の上端にライト部２７を、下端に電源となるバッテリーパック５を装着したもので、縦向きにしたグリップ２６をホルダ２４に保持させることで、携帯用ライト２５を任意の向きに向けて照明として使用することができる。携帯用ライト２５の電源にダミーバッテリ１７を使用することもできる。２８，２８・・は、後述するプレート７２へのネジ止め用に本体ケース２に設けられた貫通孔である。
【００１２】
一方、集塵機６０は、図２に示すように、底部にキャスタ６２，６２・・を備えたタンク６１の上部に、モータ及び吸込ファンを内蔵した本体６３を載置した公知の形態で、タンク６１と本体６３とは、タンク６１の左右に設けたフック６１ａ，６１ａを本体６３の左右に係止させることで結合される。タンク６１の前面には、ホースを接続可能な吸込口６４が形成され、タンク６１内で本体６３と吸込口６４との間に図示しないフィルタが介在される。本体６３の前面には、運転スイッチ６５と、吸込力の調整ダイヤル６６と、ＡＣ工具等のコードを接続可能な蓋付きのコンセント６７とが設けられている。６８は、本体６３の右側面に接続される電源コードである。
また、本体６３のカウリング６９の上面は、平坦面に形成されて、右側に凹設された倒Ｕ字状の嵌合凹部７０には、同形状のハンドル７１が、前後方向の向きで、図２（Ａ）に示す上方への引き出し位置と、嵌合凹部７０内に嵌合して上面から突出しない収納位置との間で回転可能となっている。
【００１３】
このハンドル７１に、アダプタ１を取り付けるためのプレート７２が取り付けられる。このプレート７２は、ハンドル７１の両端間に亘って前後方向に伸びる帯板状で、前後両端は、ハンドル７１の端部を回り込む格好で右側へ折り返された後、さらにハンドル７１の内側へ折り返されるフック部７３，７３となっている。各フック部７３の端縁には、ハンドル７１の端部に係止する係止爪７４が形成されている。また、前後方向の直線部分でプレート７２の裏側には、ハンドル７１の端部より内側に位置するナット７５，７５・・が設けられて、ナット７５と同軸の位置で透孔７６（図３）がそれぞれ形成されている。
よって、プレート７２を、図２（Ｂ）に示すように引き出し位置のハンドル７１に左側から嵌め込んで各フック部７３を端部に係止させ、その状態でハンドル７１を収納位置に回転させると、図３に示すように、本体６３の上面でプレート７２は前後方向の向きでハンドル７１を介して固定される。
【００１４】
以上の如く構成されたアダプタ１は、図３のようにハンドル７１にプレート７２を固定した集塵機６０の本体６３上に、ハンドル３を把持して載置し、本体ケース２の貫通孔２８から図示しないネジをプレート７２の透孔７６を介してナット７５にそれぞれねじ込む。すると、図４に示すように、集塵機６０の上面にアダプタ１が載置された状態で固定される。この状態でバッテリー装着部４にバッテリーパック５を装着すればバッテリーパック５が電源となり、電源コード１１を外部のコンセント（集塵機６０のコンセント６７でもよい）に接続すれば商用電源が使用できる。
よって、マルノコやハンマドリル等の充電式電動工具の電源として使用する場合は、出力ポート１５にダミーバッテリ１７を接続してそれを充電式電動工具のバッテリー装着部に装着すれば、アダプタ１から電源を得て充電式電動工具を使用できる。このとき、作業箇所の照明が必要であれば、ライト２３，２３を点灯させたり、ホルダ２４に携帯用ライト２５を装着して照射させたりすればよい。
【００１５】
また、アダプタ１は、充電式電動工具の電源とする他、ＵＳＢポート１６に外部機器（例えばスマートフォン等の携帯端末）を接続して充電したり、ラジオ放送を聴いたりすることができる。
そして、作業終了後は、電動工具（充電式に限らず、電源コードを備えたＡＣ工具の場合もある）を収納した収納ケースをアダプタ１の上に搭載すれば、そのまま集塵機６０と一緒に保管できる。アダプタ１及び収納ケースごと集塵機６０を移動させればまとめて運搬することができる。
【００１６】
このように、上記形態１のアダプタ１によれば、本体ケース２に、バッテリー装着部４及び電源コード１１と、外部機器が電気的に接続可能な出力ポート１５及びＵＳＢポート１６とを設けて、バッテリー装着部４又は電源コード１１を介して得られる電力を出力ポート１５及びＵＳＢポート１６を介して外部機器へ供給可能としたことで、集塵機６０と電動工具とをまとめて保管及び運搬できると共に、集塵機６０に新たな機能（ここでは充電式電動工具への電源供給機能、外部機器への充電機能、ラジオ機能、照明機能）も付与することができる。すなわち、集塵機６０に、照明用のライト２３や携帯用ライト２５を備えたり、電力供給可能な出力ポート１５及びＵＳＢポート１６を備えたり、充電式電動工具に装着して電力を供給可能なダミーバッテリ１７を備えたりしたこととなり、集塵機６０の使い勝手が向上する。
【００１７】
なお、バッテリー装着部の数は２つに限らず適宜増減可能で、電源コードとバッテリー装着部との何れかを省略することもできる。同様に、出力ポート及びＵＳＢポートの数も増減可能で、位置を変更してもよいし、何れか一方又は両方を省略してもよい。ラジオやライトの省略も可能である。ホルダも、位置や数、形状の変更は勿論、省略しても差し支えない。電源となるバッテリーパックも、充電式電動工具用に限らず、他の外部機器用のものも使用できるし、専用のバッテリーパックを本体ケース内に内蔵するようにしてもよい。
【００１８】
次に、本発明の他の形態を説明する。但し、集塵機の構成等、形態１と同じ構成部には同じ符号を付して重複する説明は省略する。
［形態２］
図５に示すアダプタ１Ａは、本体ケース２の内部に、仕切壁３１，３１で区分けされた複数の収納部３０，３０・・を凹設して、六角レンチやビット等の電動工具用アクセサリを収納可能としている。本体ケース２の上面には、収納部３０を開閉する蓋３２が設けられている。本体ケース２の前面には、閉塞位置で蓋３２の前端の係止部３３が係止する被係止部３４が設けられている。
また、本体ケース２の前面で左右両側と、左右の側面で後側には、本体ケース２の上面よりも上方へ突出する４つのストッパ３５，３５・・が取り付けられている。このストッパ３５は、アダプタ１Ａに搭載した電動工具の収納ケースの外面に当接して落下を防ぐものである。各ストッパ３５は、本体ケース２の外面に凹設された凹部３６内に取り付けられて、本体ケース２の外面から突出しないようになっている。
【００１９】
さらに、本体ケース２の左右の側面で前側及び前後方向の中央にも、凹部３７及び凹部３８がそれぞれ形成されて、図６にも示すように、前側の凹部３７にはゴムベルト３９が取り付けられ、中央の凹部３８にはフック４０が形成されている。ゴムベルト３９は、凹部３７の底面に突設した係止突起４１に、上端に形成した透孔４２を貫通させて吊り下げられて、下端には、複数の透孔４３，４３・・が長手方向に並べて形成されている。フック４０は、凹部３８の下側を閉塞する閉塞部４４から、凹部３８の底面と所定間隔をおいた状態で上向きに立設されている。このフック４０も本体ケース２の外面から突出しないように形成されている。
【００２０】
そして、本体ケース２の裏面で左右両側には、図７に示すように、前後方向に延びる溝４５，４５が形成されて、溝４５を含む本体ケース２の両側を取っ手部４６，４６として使用可能としている。両溝４５，４５の間で本体ケース２の後部には、後端から前方へ延びる左右一対の取付溝４７，４７が形成されて、両取付溝４７，４７に、バー部材としての逆Ｕ字状のプッシュバー４８の左右の下端部４９，４９がネジ固定されている。このプッシュバー４８は、下端部４９，４９を前方へ折り曲げてなり、取付溝４７に下端部４９を取り付けた状態では、本体ケース２の後端から斜め上方向へ後向きに伸びる姿勢となる。
【００２１】
以上の如く構成されたアダプタ１Ａは、図３のようにハンドル７１にプレート７２を固定した集塵機６０の本体６３上に、取っ手部４６を把持して載置し、図８に示すように、蓋３２を開けて収納部３０内に設けた貫通孔２８からネジ５５，５５・・をプレート７２のナット７５にねじ込む。すると、図９に示すように集塵機６０の上面にアダプタ１Ａが載置された状態で固定される。
よって、作業終了後には電動工具を収納した収納ケースをアダプタ１Ａ上に搭載できるのは勿論、ゴムベルト３９をホースに巻き付けて下端の透孔４３の何れかを係止突起４１に貫通係止させることで、ホースを吊り下げ収納可能となる。また、フック４０を利用してゴーグル等の電動工具用アクセサリも吊り下げ収納可能となる。運搬する際は、プッシュバー４８を把持して後方から押すことでアダプタ１Ａ及び収納ケースごと集塵機６０を移動させることができる。
【００２２】
このように、上記形態２のアダプタ１Ａにおいても、集塵機６０と電動工具とをまとめて保管及び運搬できると共に、集塵機６０に新たな機能（ここではホースや電動工具用アクセサリの収納機能）も付与することができる。
なお、形態２において、ゴムベルトやフックの位置や数は適宜変更可能で、何れか一方又は両方を省略することもできる。蓋は、複数設けて収納部ごとに開閉できるようにしてもよいし、収納部及び蓋はなくてもよい。プッシュバーも、後方斜め上方への突出状態で設ける形態に限らず、例えば平面視Ｕ字状のプッシュバーを、本体ケースに対して後方から水平方向で出し入れ可能に設けることもできる。
【００２３】
［形態３］
図１０に示すアダプタ１Ｂは、プッシュバー４８の取付構造が形態２と異なり、本体ケース２の後面中央から後方へ突出した取付部５０に取り付けられている。すなわち、取付部５０の左右両側に位置させたプッシュバー４８の両下端部４９，４９に、それぞれ外側からツマミネジ５１，５１を貫通させて取付部５０に螺合させることで、ツマミネジ５１，５１を中心とした任意の回転位置で固定可能としている。取付部５０の左右両面には、図１１に示すように、ツマミネジ５１の螺合孔５２を中心として上下及び前後、前方斜め下、後方斜め上へそれぞれ伸びる複数のガイド溝５３，５３・・が放射状に形成されていることから、プッシュバー４８はガイド溝５３に合わせた角度で固定し易くなっている。なお、このプッシュバー４８は下端部４９が前方へ折曲されておらず、左右共に直線状となっている。
【００２４】
また、本体ケース２の上面には、両端が前後方向のガイド溝５３の延長上に位置する平面視Ｕ字状の嵌合溝５４が形成されており、前後方向のガイド溝５３にプッシュバー４８を合わせて前向き位置で固定した際には、図１２に示すように、プッシュバー４８が嵌合溝５４に嵌合して本体ケース２の上面から突出しないようになっている。このとき、プッシュバー４８の前端は、本体ケース２の前面よりも前方へ突出している。
【００２５】
以上の如く構成されたアダプタ１Ｂは、図３のようにハンドル７１にプレート７２を固定した集塵機６０の本体６３上に載置し、貫通孔２８からネジ５５をプレート７２のナット７５にねじ込む。すると、図１２に示すように集塵機６０の上面にアダプタ１Ｂが載置された状態で固定される。
よって、作業終了後には図１３に示すように電動工具を収納した収納ケース７７をアダプタ１Ｂ上に搭載できる。このとき、図１０の角度でプッシュバー４８を固定すれば、そのままプッシュバー４８を把持して後方から押すことでアダプタ１Ｂ及び収納ケースごと集塵機６０を移動させることができる。運搬後、ツマミネジ５１を緩めれば、図１３に示すようにプッシュバー４８を下向き位置に倒すことができ、邪魔にならない。
【００２６】
但し、図１２のようにプッシュバー４８を前方へ倒しても、プッシュバー４８は嵌合溝５４内から上方へ突出しないので、そのまま収納ケース７７を搭載できる。このとき、プッシュバー４８の先端はアダプタ１Ｂから前方へ突出しているので、そのままプッシュバー４８の先端を把持して集塵機６０を前方から押したり、逆に前方へ引っ張ったりして移動させることもできる。
なお、この場合も、係止突起４１から吊り下げたゴムベルト３９をホースに巻き付けることでホースを吊り下げ収納可能となる。また、フック４０を利用してゴーグル等も吊り下げ収納可能となる。
【００２７】
このように、上記形態３のアダプタ１Ｂにおいても、集塵機６０と電動工具とをまとめて保管及び運搬できると共に、集塵機６０に新たな機能（ここではホースや電動工具用アクセサリの収納機能）も付与することができる。
なお、形態３においても、ゴムベルトやフックの位置や数は適宜変更可能で、何れか一方又は両方を省略することもできる。また、取付部ではガイド溝の数や角度の変更は勿論、ガイド溝をなくして任意の角度でプッシュバーを固定可能としてもよい。
【００２８】
そして、上記形態１〜３の各アダプタは、相互に機能の組み合わせが可能で、例えば形態１のアダプタには、収納部及び蓋、ストッパ、ゴムベルトやフック、形態２又は形態３のプッシュバー、のうちの何れか又は全てを設けてもよい。また、形態２，３のアダプタには、バッテリー装着部や電源コード及び基板、出力ポート及びＵＳＢポート、ラジオやライト、ホルダ、のうちの何れか又は全てを設けることもできる。バッテリー装着部に代えて内蔵バッテリを設けてもよい。
【００２９】
さらに、付加する機能としては上記３つの形態のものに限らず、例えばバッテリーパックを載置して充電できる非接触式の充電部を設けたりすることも可能である。
そして、集塵機への取付構造も、例えばアダプタの裏面に予めプレートを固定して、収納位置のハンドルに対して側方からスライドさせてプレートをハンドルに嵌合させたり、プレートをなくしてアダプタと本体のカウリングとを直接ネジ止め等で結合したり、アダプタの左右にゴムバンドを介して接続したフックをタンクに係止させたり等、適宜変更可能である。引き出し位置のハンドルをアダプタに貫通させてアダプタ内でクサビ部材をハンドルに差し込んで抜け止めするような構造も考えられる。アダプタの底面に集塵機の上部が嵌合する凹部を形成してがたつき防止を図ることもできる。
一方、集塵機自体に、形態１のように外部機器を保持するためのホルダを設けることもできる。また、集塵機自体に、形態２のように電動工具用アクセサリの収納部と、その収納部を開閉可能な蓋とを設けることもできる。
【符号の説明】
【００３０】
１，１Ａ，１Ｂ・・集塵機用アダプタ、２・・本体ケース、３・・ハンドル、４・・バッテリー装着部、５・・バッテリーパック、７・・装着部、１０・・端子台、１１・・電源コード、１３・・基板、１４・・出力部、１５・・出力ポート、１６・・ＵＳＢポート、１７・・ダミーバッテリ、２２・・スピーカ、２３・・ライト、２５・・携帯用ライト、２８・・貫通孔、３０・・収納部、３２・・蓋、３５・・ストッパ、３９・・ゴムベルト、４０・・フック、４５・・溝、４６・・取っ手部、４８・・プッシュバー、５１・・ツマミネジ、５３・・ガイド溝、６０・・集塵機、６１・・タンク、６３・・本体、７１・・ハンドル、７２・・プレート、７７・・収納ケース。
【図１】
2017001131.tif 000003
【図２】
2017001131.tif 000004
【図３】
2017001131.tif 000005
【図４】
2017001131.tif 000006
【図５】
2017001131.tif 000007
【図６】
2017001131.tif 000008
【図７】
2017001131.tif 000009
【図８】
2017001131.tif 000010
【図９】
2017001131.tif 000011
【図１０】
2017001131.tif 000012
【図１１】
2017001131.tif 000013
【図１２】
2017001131.tif 000014
【図１３】
2017001131.tif 000015